(57)【要約】【課題】  多数のテレビジョン受像機等の表示装置を接続して使用した場合、ユーザの利便性を向上させることができるようにする。【解決手段】  複数の表示装置により構成されるスケーラブルテレビシステムの中で、現在表向きになっている表示装置１２２Ａ乃至１２３Ｃによりオブジェクト３０１の画像が表示され、裏向きになっている表示装置には必要に応じて、別の画像が表示される。表示装置１２２Ａ乃至１２３Ｃのそれぞれは、オブジェクト３０１の画像を、４倍に拡大し、自分が表示する部位の中心座標を演算し、演算された中心座標を中心とする画像を表示する。本発明は、テレビジョン受像機に適用することができる。【選択図】図１４
2006308950.tif 000002
【特許請求の範囲】
【請求項１】
複数の取り付け位置に取り付けられ、かつ着脱可能に構成された複数の表示装置により画像を表示する複合画像表示装置を構成する表示装置であって、
前記複合画像表示装置の中における自分の取り付け位置と、自分の取り付け状態を表す情報を取得する自己状態取得手段と、
前記複合表示装置の中の他の表示装置のそれぞれの取り付け位置と、他の表示装置の取り付け状態を表す情報を取得する他装置状態取得手段と、
前記自己状態取得手段と、前記他装置状態取得手段のそれぞれにより取得された、前記情報に基づいて、自分の表示部に表示される画像の表示を制御する表示制御手段と
を備えることを特徴とする表示装置。
【請求項２】
前記複合表示装置に取り付けられた状態で、前記表示部の向けられる方向が、１８０°異なる２つの方向のうちのいずれかの方向に選択可能である
ことを特徴とする請求項１に記載の表示装置。
【請求項３】
前記自己状態取得手段または他装置状態取得手段により取得される前記取り付け状態を表す情報は、現在所定の取り付け位置に取り付けられているか否かと、前記表示部の向きとを表す情報である
ことを特徴とする請求項２に記載の表示装置。
【請求項４】
前記自己状態取得手段と、前記他装置状態取得手段のそれぞれにより取得された、前記情報に基づいて、自分の表示部と同じ方向に向けられた表示部を有する他の表示装置と同じ画像を表示する
ことを特徴とする請求項３に記載の表示装置。
【請求項５】
前記表示制御手段は、
前記自分の表示部と同じ方向に向けられた表示部を有する他の表示装置の取り付け位置および自分の取り付け位置に基づいて、前記画像の中で自分が表示する部位と、前記部位の画像の表示倍率を選択する部位倍率選択手段を備える
ことを特徴とする請求項４に記載の表示装置。
【請求項６】
前記画像が動画像であり、
前記表示制御手段は、
前記自分の表示部と同じ方向に向けられた表示部を有する他の表示装置の取り付け位置および自分の取り付け位置、並びに予め定められたイベントに基づいて、前記動画像を静止させるタイミングを選択する静止タイミング選択手段を備える
ことを特徴とする請求項４に記載の表示装置。
【請求項７】
前記イベントは、所定の時間が経過する毎に発生する
ことを特徴とする請求項６に記載の表示装置。
【請求項８】
前記イベントは、予め定められた特定の画像の表示が検出されたとき発生する
ことを特徴とする請求項６に記載の表示装置。
【請求項９】
前記イベントは、ユーザの指令により発生する
ことを特徴とする請求項６に記載の表示装置。
【請求項１０】
前記表示制御手段は、
前記自分の表示部と同じ方向に向けられた表示部を有する他の表示装置の取り付け位置および自分の取り付け位置に基づいて、複数の種類の画像のうち、自分が表示する画像を選択する画像種類選択手段を備える
ことを特徴とする請求項４に記載の表示装置。
【請求項１１】
前記表示制御手段は、
前記自分の表示部と同じ方向に向けられた表示部を有する他の表示装置の取り付け位置および自分の取り付け位置、並びに前記複合表示装置と接続される外部の機器から送信される信号に基づいて、前記表示に表示される画像を、強制的に切り替える画像切替手段を備える
ことを特徴とする請求項４に記載の表示装置。
【請求項１２】
複数の取り付け位置に取り付けられ、かつ着脱可能に構成された複数の表示装置により画像を表示する複合画像表示装置を構成する表示装置の表示方法であって、
前記複合画像表示装置の中における自分の取り付け位置と、自分の取り付け状態を表す情報を取得する自己状態取得ステップと、
前記複合表示装置の中の他の表示装置のそれぞれの取り付け位置と、取り付け状態を表す情報を取得する他装置状態取得ステップと、
前記自己状態取得ステップと、前記他装置状態取得ステップのそれぞれの処理により取得された前記情報に基づいて、自分の表示部に表示される画像の表示を制御する表示制御ステップと
を含むことを特徴とする表示方法。
【請求項１３】
複数の取り付け位置に取り付けられ、かつ着脱可能に構成された複数の表示装置により画像を表示する複合画像表示装置を構成する表示装置に表示処理を実行させるプログラムであって、
前記複合画像表示装置の中における自分の取り付け位置と、自分の取り付け状態を表す情報の取得を制御する自己状態取得制御ステップと、
前記複合表示装置の中の他の表示装置のそれぞれの取り付け位置と、取り付け状態を表す情報の取得を制御する他装置状態取得制御ステップと、
前記自己状態取得制御ステップと、前記他装置状態取得制御ステップのそれぞれの処理により取得された前記情報に基づいて、自分の表示部に表示される画像の表示を制御する表示制御ステップと
をコンピュータに実行させることを特徴とするプログラム。
【請求項１４】
請求項１３に記載のプログラムが記録されていることを特徴とする記録媒体。
【請求項１５】
請求項１乃至１１のいずれかに記載の表示装置が、複数の取り付け位置に取り付けられ、複数の前記表示装置により画像を表示する
ことを特徴とする複合画像表示装置。
【発明の詳細な説明】
【技術分野】
【０００１】
本発明は、表示装置および方法、プログラム、記録媒体並びに複合表示装置に関し、特に、多数のテレビジョン受像機等の表示装置を接続して使用した場合、ユーザの利便性を向上させることができるようにする表示装置および方法、プログラム、記録媒体並びに複合表示装置に関する。
【背景技術】
【０００２】
テレビジョン受像機においては、テレビジョン放送信号が受信され、テレビジョン放送番組としての画像が表示されるとともに、その画像に付随する音声が出力されるが、従来のテレビジョン受像機は、単体で動作することを前提とするものであり、このため、ユーザが、新たに、テレビジョン受像機を購入する場合には、ユーザが所有していたテレビジョン受像機は不要となり、まだ使用可能であっても廃棄されることが多い。
【０００３】
従って、多数のテレビジョン受像機を接続した場合に、単体の場合よりも高機能を実現することができれば、使用可能なテレビジョン受像機の廃棄を防止して、資源の有効利用に資することができる。
【０００４】
そこで、多数のテレビジョン受像機等の表示装置を接続して使用した場合に、単体で使用する場合よりも高機能を実現することができるようにする技術が提案されている（例えば、特許文献１参照。）
【０００５】
特許文献１の技術によれば、例えば、９台の表示装置からなる表示装置の集合体により１つの画像が表示されるようにすることができる。
【０００６】
【特許文献１】特開２００３−１９５８４３号公報
【発明の開示】
【発明が解決しようとする課題】
【０００７】
しかしながら、多数のテレビジョン受像機等の表示装置を接続して使用した場合の画像の表示方法には、さらに多くの応用例が考えられる。例えば、従来の技術では、複数（例えば、９台）の表示装置の集合体を単一の表示装置として機能させるようにすることが可能となるが、複数（例えば、９台）の表示装置の集合体を、さらに複数（例えば、３台）の表示装置からなる複数（例えば、３組）の集合体に分割し、個々の集合体に別々の画像を表示することができれば、より便利である。
【０００８】
さらに、表示装置を表向きにして表側から試聴するだけでなく、一部の表示装置を裏向きにして裏側から試聴できるようにすればさらに利便性は向上する。
【０００９】
本発明はこのような状況に鑑みてなされたものであり、多数のテレビジョン受像機等の表示装置を接続して使用した場合、ユーザの利便性を向上させることができるようにするものである。
【課題を解決するための手段】
【００１０】
本発明の表示装置は、複数の取り付け位置に取り付けられ、かつ着脱可能に構成された複数の表示装置により画像を表示する複合画像表示装置を構成する表示装置であって、複合画像表示装置の中における自分の取り付け位置と、自分の取り付け状態を表す情報を取得する自己状態取得手段と、複合表示装置の中の他の表示装置のそれぞれの取り付け位置と、他の表示装置の取り付け状態を表す情報を取得する他装置状態取得手段と、自己状態取得手段と、他装置状態取得手段のそれぞれにより取得された、情報に基づいて、自分の表示部に表示される画像の表示を制御する表示制御手段とを備えることを特徴とする。
【００１１】
前記複合表示装置に取り付けられた状態で、表示部の向けられる方向が、１８０°異なる２つの方向のうちのいずれかの方向に選択可能であるようにすることができる。
【００１２】
前記自己状態取得手段または他装置状態取得手段により取得される取り付け状態を表す情報は、現在所定の取り付け位置に取り付けられているか否かと、表示部の向きとを表す情報であるようにすることができる。
【００１３】
前記自己状態取得手段と、他装置状態取得手段のそれぞれにより取得された、情報に基づいて、自分の表示部と同じ方向に向けられた表示部を有する他の表示装置と同じ画像を表示するようにすることができる。
【００１４】
前記表示制御手段は、自分の表示部と同じ方向に向けられた表示部を有する他の表示装置の取り付け位置および自分の取り付け位置に基づいて、画像の中で自分が表示する部位と、部位の画像の表示倍率を選択する部位倍率選択手段を備えるようにすることができる。
【００１５】
前記画像が動画像であり、表示制御手段は、自分の表示部と同じ方向に向けられた表示部を有する他の表示装置の取り付け位置および自分の取り付け位置、並びに予め定められたイベントに基づいて、動画像を静止させるタイミングを選択する静止タイミング選択手段を備えるようにすることができる。
【００１６】
前記イベントは、所定の時間が経過する毎に発生するようにすることができる。
【００１７】
前記イベントは、予め定められた特定の画像の表示が検出されたとき発生するようにすることができる。
【００１８】
前記イベントは、ユーザの指令により発生するようにすることができる。
【００１９】
前記表示制御手段は、自分の表示部と同じ方向に向けられた表示部を有する他の表示装置の取り付け位置および自分の取り付け位置に基づいて、複数の種類の画像のうち、自分が表示する画像を選択する画像種類選択手段を備えるようにすることができる。
【００２０】
前記表示制御手段が、自分の表示部と同じ方向に向けられた表示部を有する他の表示装置の取り付け位置および自分の取り付け位置、並びに複合表示装置と接続される外部の機器から送信される信号に基づいて、表示に表示される画像を、強制的に切り替える画像切替手段を備えるようにすることができる。
【００２１】
本発明の表示方法は、複数の取り付け位置に取り付けられ、かつ着脱可能に構成された複数の表示装置により画像を表示する複合画像表示装置を構成する表示装置の表示方法であって、複合画像表示装置の中における自分の取り付け位置と、自分の取り付け状態を表す情報を取得する自己状態取得ステップと、複合表示装置の中の他の表示装置のそれぞれの取り付け位置と、取り付け状態を表す情報を取得する他装置状態取得ステップと、自己状態取得ステップと、他装置状態取得ステップのそれぞれの処理により取得された情報に基づいて、自分の表示部に表示される画像の表示を制御する表示制御ステップとを含むことを特徴とする。
【００２２】
本発明のプログラムは、複数の取り付け位置に取り付けられ、かつ着脱可能に構成された複数の表示装置により画像を表示する複合画像表示装置を構成する表示装置に表示処理を実行させるプログラムであって、複合画像表示装置の中における自分の取り付け位置と、自分の取り付け状態を表す情報の取得を制御する自己状態取得制御ステップと、複合表示装置の中の他の表示装置のそれぞれの取り付け位置と、取り付け状態を表す情報の取得を制御する他装置状態取得制御ステップと、自己状態取得制御ステップと、他装置状態取得制御ステップのそれぞれの処理により取得された情報に基づいて、自分の表示部に表示される画像の表示を制御する表示制御ステップとをコンピュータに実行させることを特徴とする。
【００２３】
本発明の表示装置および方法、並びにプログラムにおいては、複合画像表示装置の中における自分の取り付け位置と、自分の取り付け状態を表す情報が取得され、複合表示装置の中の他の表示装置のそれぞれの取り付け位置と、他の表示装置の取り付け状態を表す情報が取得され、取得された情報に基づいて、自分の表示部に表示される画像の表示が制御される。
【発明の効果】
【００２４】
本発明によれば、多数のテレビジョン受像機等の表示装置を接続して使用した場合、ユーザの利便性を向上させることができる。
【発明を実施するための最良の形態】
【００２５】
以下に本発明の実施の形態を説明するが、本明細書に記載した発明と、発明の実施の形態との対応関係を例示すると、次のようになる。この記載は、本明細書に記載されている発明をサポートする実施の形態が明細書に記載されていることを確認するためのものである。従って、明細書には記載されているが、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２６】
さらに、この記載は、明細書に記載されている発明が、全て請求されていることを意味するものではない。換言すれば、この記載は、明細書に記載されている発明であって、この出願では請求されていない発明の存在、すなわち、将来、分割出願されたり、補正により出願、または追加される発明の存在を否定するものではない。
【００２７】
請求項１に記載の表示装置は、複数の取り付け位置に取り付けられ、かつ着脱可能に構成された複数の表示装置により画像を表示する複合画像表示装置（例えば、図１のスケーラブルテレビシステム１００）を構成する表示装置であって、前記複合画像表示装置の中における自分の取り付け位置と、自分の取り付け状態を表す情報を取得する自己状態取得手段（例えば、図１１のステップＳ１２１の処理を実行する図９の中央処理部２０２）と、前記複合表示装置の中の他の表示装置のそれぞれの取り付け位置と、他の表示装置の取り付け状態を表す情報を取得する他装置状態取得手段（例えば、図１１のステップＳ１２３の処理を実行する図９の中央処理部２０２）と、前記自己状態取得手段と、前記他装置状態取得手段のそれぞれにより取得された、前記情報に基づいて、自分の表示部に表示される画像の表示を制御する表示制御手段（例えば、図９のアプリケーション処理部２０５）とを備える。
【００２８】
請求項２に記載の表示装置は、前記複合表示装置に取り付けられた状態で、前記表示部の向けられる方向が、１８０°異なる２つの方向（例えば、表と裏）のうちのいずれかの方向に選択可能であるようにすることができる。
【００２９】
請求項５に記載の表示装置は、前記表示制御手段が、前記自分の表示部と同じ方向に向けられた表示部を有する他の表示装置の取り付け位置および自分の取り付け位置に基づいて、前記画像の中で自分が表示する部位と、前記部位の画像の表示倍率を選択する部位倍率選択手段（例えば、図９のズーム処理部２２１）を備えるようにすることができる。
【００３０】
請求項６に記載の表示装置は、前記画像が動画像であり、前記表示制御手段は、前記自分の表示部と同じ方向に向けられた表示部を有する他の表示装置の取り付け位置および自分の取り付け位置、並びに予め定められたイベントに基づいて、前記動画像を静止させるタイミングを選択する静止タイミング選択手段（例えば、図９のストロボ処理部２２２乃至メモ処理部２２４）を備えるようにすることができる。
【００３１】
請求項１０に記載の表示装置は、前記表示制御手段が、前記自分の表示部と同じ方向に向けられた表示部を有する他の表示装置の取り付け位置および自分の取り付け位置に基づいて、複数の種類の画像のうち、自分が表示する画像を選択する画像種類選択手段（例えば、図９のマルチビュー処理部２２５）を備えるようにすることができる。
【００３２】
請求項１１に記載の表示装置は、前記表示制御手段が、前記自分の表示部と同じ方向に向けられた表示部を有する他の表示装置の取り付け位置および自分の取り付け位置、並びに前記複合表示装置と接続される外部の機器（例えば、インターフォン）から送信される信号に基づいて、前記表示に表示される画像を、強制的に切り替える画像切替手段（例えば、図９のセキュリティ割り込み処理部２２６）を備えるようにすることができる。
【００３３】
請求項１２に記載の表示方法は、複数の取り付け位置に取り付けられ、かつ着脱可能に構成された複数の表示装置により画像を表示する複合画像表示装置（例えば、図１のスケーラブルテレビシステム１００）を構成する表示装置の表示方法であって、前記複合画像表示装置の中における自分の取り付け位置と、自分の取り付け状態を表す情報を取得する自己状態取得ステップ（例えば、図１１のステップＳ１２１の処理）と、前記複合表示装置の中の他の表示装置のそれぞれの取り付け位置と、取り付け状態を表す情報を取得する他装置状態取得ステップ（例えば、図１１のステップＳ１２３の処理）と、前記自己状態取得ステップと、前記他装置状態取得ステップのそれぞれの処理により取得された前記情報に基づいて、自分の表示部に表示される画像の表示を制御する表示制御ステップ（例えば、図１０のステップＳ１０２、Ｓ１０５、Ｓ１０７、またはＳ１０９の処理）とを含む。
【００３４】
請求項１３に記載のプログラムは、複数の取り付け位置に取り付けられ、かつ着脱可能に構成された複数の表示装置により画像を表示する複合画像表示装置（例えば、図１のスケーラブルテレビシステム１００）を構成する表示装置に表示処理を実行させるプログラムであって、前記複合画像表示装置の中における自分の取り付け位置と、自分の取り付け状態を表す情報の取得を制御する自己状態取得制御ステップ（例えば、図１１のステップＳ１２１の処理）と、前記複合表示装置の中の他の表示装置のそれぞれの取り付け位置と、取り付け状態を表す情報の取得を制御する他装置状態取得制御ステップ（例えば、図１１のステップＳ１２３の処理）と、前記自己状態取得制御ステップと、前記他装置状態取得制御ステップのそれぞれの処理により取得された前記情報に基づいて、自分の表示部に表示される画像の表示を制御する表示制御ステップ（例えば、図１０のステップＳ１０２、Ｓ１０５、Ｓ１０７、またはＳ１０９の処理）とをコンピュータに実行させる。
【００３５】
以下、図面を参照して、本発明の実施の形態について説明する。
【００３６】
図１は、本発明を適用したスケーラブルテレビシステム１００の一実施形態に係る構成例を示す図である。スケーラブルテレビシステム１００は、複数の表示装置を、それぞれ複数の異なる取り付け位置に取り付けることが可能なユニットを、複数台接続することにより構成されており、接続されるユニットの数を増やしたり減らしたりすることで、表示装置の台数を自由に増やしたり減らしたりすることが可能となるように構成されている。
【００３７】
図１の例では、スケーラブルテレビシステム１００は、ユニット１０１−１乃至１０１−３の３つのユニットにより構成されている。ユニット１０１−１乃至１０１−３の各ユニットには、それぞれ複数のテレビジョン受像機などの表示装置（この例では３台の表示装置）が図中縦方向一列に取り付けられており、ユニット１０１−１には、表示装置１２１Ａ乃至１２１Ｃ、ユニット１０１−２には、表示装置１２２Ａ乃至１２２Ｃ、ユニット１０１−３には、表示装置１２３Ａ乃至１２３Ｃが図中縦方向一列にそれぞれ取り付けられている。そして、ユニット１０１−１乃至１０１−３が図中横方向一列に接続されることにより９台の表示装置を有するスケーラブルテレビシステム１００が構成されている。
【００３８】
表示装置１２１A乃至１２３Ｃの９台の表示装置のそれぞれは、同じ形状と機能を有し、例えば、テレビジョン放送信号、インターフォンに接続されるモニタの信号などを受信して、ＬＣＤ（Liquid Crystal Display）などで構成される表示部に画像を表示したり、スピーカなどで構成される音声出力部から音声を出力したりする。スケーラブルテレビシステム１００は、個々の表示装置を独立して機能させることは勿論、９台の表示装置の集合体をあたかも１台の表示装置として機能させるようにすることが可能である。さらに、スケーラブルテレビシステム１００においては、９台の表示装置を、例えば３台の表示装置からなる３組の集合体に分割し、個々の集合体毎に別々の画像を表示することも可能である。
【００３９】
このスケーラブルテレビシステム１００は、図２を参照して後述するように、表示装置１２１Ａ乃至１２３Ｃがそれぞれ１８０°回転可能となるように構成されており、矢印１４１で示される方向であって、スケーラブルテレビシステム１００の表方向から、また、矢印１４２で示される方向であって、スケーラブルテレビシステム１００の裏方向から、それぞれユーザが画像や音声を視聴することが可能となるように構成されている。
【００４０】
例えば、スケーラブルテレビシステム１００を、リビングルームとキッチンの間に設置し、表側の面をリビングルームに向けてスポーツ中継などの番組の画像を表示させ、裏側の面をキッチンに向けて料理番組の画像を表示させることができる。
【００４１】
図２Ａ乃至図２Cは、上述した表示装置１２１Ａ乃至１２３Ｃの回転を説明する図である。同図は、表示装置１２１Ａ乃至１２３Ｃがそれぞれユニット単位で回転するように構成されている場合の例を説明する図であり、ここでは、ユニット１０１−１が例として表示されている。
【００４２】
図２Ａに示されるように、ユニット１０１−１は、図中縦方向の軸１１１を中心として、点線円１０２−１の位置において１８０°回転可能となるように構成されている。いま、図２Ａにおいて、表示装置１２１Ａ乃至１２１Ｃがそれぞれ表向きの状態であるとし、表示装置１２１Ａ乃至１２１Ｃを裏向きの状態にする場合、例えば、ユーザは、ユニット１０１−１の点線円１０２−１より上側の部分を図中右回りに回転させ、図２Ｂに示されるような状態とする。その後、さらに、ユニット１０１−１の点線円１０２−１より上側の部分を図中右回りに回転させることで、図２Ｃに示されるように、表示装置１２１Ａ乃至１２１Ｃが裏向きの状態になる。
【００４３】
ユニット１０１−１乃至１０１−３のそれぞれは、例えば、ポテンショメータまたはロータリエンコーダなど、回転角を検知するセンサを備えており、後述するコネクタなどを介して、自身の回転状態を表す情報（表向きか裏向きかを表す情報）を自身に取り付けられた表示装置のそれぞれに、例えば電気的な信号などにより通知する。
【００４４】
なお、スケーラブルテレビシステム１００において、表と裏とは、特に矢印１４１で示される方向からみた面が表、また、矢印１４２で示される方向からみた面が裏と固定されるものではなく、どちらが表であってもよい。すなわち、表示装置１２１Ａ乃至１２３Ｃの面（表示部）の向きは、２通りあるので、一方の方向を向いているものを表向きといい、他方の方向を向いているものを裏向きと呼んでいる。
【００４５】
図３は、ユニット１０１−１を図１の図中左方向からみた側面図である。同図に示されるように、ユニット１０１−１の図中縦方向（上下方向）に、同一の形状の表示装置１２１A乃至１２１Cが一列に取り付けられている。表示装置１２１A乃至１２１Cのそれぞれは、図中左側の面（表面）に、LCDなどで構成される表示部およびスピーカなどの音声出力部が設けられており、また、図４を参照して後述するように、表示装置１２１A乃至１２１Cのそれぞれは、図中右側の面（背面）の一部または全部が、ユニット１０１−１に設けられた所定の取り付け位置に接触して取り付けられている。
【００４６】
いまの状態では、ユニット１０１−１の図中左側に位置するユーザにより、表示部に表示される画像、または音声出力部から出力される音声が試聴される。図２A乃至図２Cを参照して上述したように、ユニット１０１−１が軸１１１を中心に１８０°回転されると、表示部１２１A乃至１２１Cの表示部および音声出力部が図中右側の面に移動し、いまの状態とは反対に、図中右側に位置するユーザにより、表示部に表示される画像、または音声出力部から出力される音声が試聴される。また、表示装置１２１A乃至１２１Cのそれぞれは、ユーザが必要に応じて、ユニット１０１−１に対して着脱可能となるように構成されている。
【００４７】
図４は、ユニット１０１−１から、表示装置１２１Ａが取り外された場合の例を示す図である。表示装置１２１Ａは、自分の背面に設けられた取り付けバーなどにより、ユニット１０１−１の取り付け部１０７Ａ−１に掛止されるように構成されており、また、自分の背面に設けられたコネクタピンなどが、ユニット１０１−１のコネクタ１０８Ａ−１に接続され、ユニット１０１−１および他の表示装置との通信が可能となるように構成されている。またコネクタ１０８Ａ−１と同様に、ユニット１０１−１において、表示装置１２１Ｂと表示装置１２１Ｃの取り付け位置には、コネクタ１０８Ｂ−１と１０８Ｃ−１が設けられている。
【００４８】
例えば、ユニット１０１−１の内部には、軸１１１に沿ってケーブルが配線されており、コネクタ１０８Ａ−１乃至１０８Ｃ−１は、それぞれケーブルに接続される。従って、表示装置１２１Ａ乃至１２１Ｃは、コネクタ１０８Ａ−１乃至１０８Ｃ−１を介して相互に通信を行うことが可能である。
【００４９】
また、コネクタ１０８Ａ−１には、そのコネクタの位置（いまの場合、ユニット１０１−１の中で一番上の位置）を表す情報が予め記憶されており、必要に応じて位置の情報が表示装置に供給される。
【００５０】
なお、ユニット１０１−２と、ユニット１０１−３もやはりユニット１０１−１と同様の構成とされ、それぞれのユニットは、互いに図示せぬケーブルなどで相互に接続される。また、ユニット１０１−２は、ユニット１０１−１と相互に接続され、ユニット１０２−３は、ユニット１０１−２と相互に接続され、・・・のように個々のユニットがカスケード接続されるようにしてもよい。従って、表示装置１２１Ａ乃至１２３Ｃの９台の表示装置のそれぞれが他の表示装置と相互に通信することが可能である。
【００５１】
また、スケーラブルテレビシステム１００には、例えば、インターフォンなどの外部の機器を接続することが可能であり、必要に応じてインターフォンに接続されるモニタの画像を、各表示装置に表示させることも可能である。
【００５２】
このように構成されるスケーラブルテレビシステム１００は、図２Ａ乃至図２Ｃを参照して上述したように、ユニット単位に回転させることができる。ユニットを回転させることにより、スケーラブルテレビシステム１００は、図５乃至図７に示されるような状態とされる。
【００５３】
図５乃至図７は、スケーラブルテレビシステム１００を簡略化して示した図であり、表示部１２１A乃至１２３Cのそれぞれは、図１を参照して上述したように、ユニット１０１−１乃至ユニット１０１−３に取り付けられているものとする。同図の上側に記述される「表」、または「裏」の文字は、対応するユニットの回転状態に伴い、表示装置１２１A乃至１２３C（の表示部）がそれぞれ表向きの状態または裏向きの状態であることを表している。また、同図において、ハッチされている部分は、対応する表示装置の表示部が裏向きであり、表側からは試聴できない状態であることを表している。また、以後の説明においても、スケーラブルテレビシステム１００を、必要に応じて図５乃至図７のように簡略化して表示し、説明する。
【００５４】
図５は、スケーラブルテレビシステム１００において、ユニット１０１−１乃至１０１−３が、いずれも回転されていない状態の例を示す図である。すなわち、表示装置１２１A乃至１２３Cの９台の表示装置が全て表向きの状態とされている。この状態において、スケーラブルテレビシステム１００を表側から見るユーザは、表示装置１２１Ａ乃至１２３Ｃの９台の表示装置により表示される画像を見ることになり、スケーラブルテレビシステム１００を裏側から見るユーザは、画像を見ることができない。
【００５５】
図６は、スケーラブルテレビシステム１００において、ユニット１０１−１が１８０°回転された状態の例を示す図である。すなわち、表示装置１２２Ａ乃至１２３Cの６台の表示装置が表向きの状態とされ、表示装置１２１A乃至１２１Cの３台の表示装置が裏向きの状態とされている。この状態において、スケーラブルテレビシステム１００を表側から見るユーザは、表示装置１２２Ａ乃至１２３Ｃの６台の表示装置により表示される画像を見ることになり、スケーラブルテレビシステム１００を裏側から見るユーザは、表示装置１２１Ａ乃至１２１Ｃの３台の表示装置により表示される画像を見ることになる。
【００５６】
図７は、スケーラブルテレビシステム１００において、ユニット１０１−２が１８０°回転された状態の例を示す図である。すなわち、表示装置１２１Ａ乃至１２１C、および表示装置１２３Ａ乃至１２３Ｃの６台の表示装置が表向きの状態とされ、表示装置１２２A乃至１２２Cの３台の表示装置が裏向きの状態とされている。この状態において、スケーラブルテレビシステム１００を表側から見るユーザは、表示装置１２１Ａ乃至１２１Ｃおよび１２３Ａ乃至１２３Ｃの６台の表示装置により表示される画像を見ることになり、スケーラブルテレビシステム１００を裏側から見るユーザは、表示装置１２２Ａ乃至１２２Ｃの３台の表示装置により表示される画像を見ることになる。
【００５７】
また、スケーラブルテレビシステム１００においては、図４を参照して上述したように、個々の表示装置を、ユニットから取り外すことも可能であるので、例えば、図８に示されるように表示装置が取り外されている状態もあり得る。図８は、スケーラブルテレビシステム１００の表示装置の着脱状態を表す図であり、ユニット１０１−１乃至ユニット１０１−３の表示装置の取り付け位置が、位置Ａ１乃至Ｃ３で表されている。すなわち、ユニット１０１−１において、最も上の取り付け位置（表示装置１２１Ａの位置）が位置Ａ１に対応し、ユニット１０１−３の最も下の取り付け位置（表示装置１２３Ｃの位置）が取り付け位置Ｃ３に対応する。
【００５８】
図8の例では、図中斜線で示される位置Ａ３と位置Ｂ１の表示装置がそれぞれ取り外されており、この状態では、表示装置１２３Ａと、表示装置１２１Ｂが取り外されており、ユニットの回転状態にかかわらず当然それらの位置には画像が表示されないことになる。
【００５９】
また、図８に示される各表示装置の取り付け位置（位置Ａ１乃至Ｃ３）は、後述するように、スケーラブルテレビシステム１００に含まれる各表示装置のＩＤとして利用される。
【００６０】
図９は、表示装置１２１Ａ乃至１２３Ｃの内部構成例を示すブロック図である。
【００６１】
この例では、表示装置１２１Ａ乃至１２３Ｃの内部に、制御情報通信部２０１が設けられている。制御情報通信部２０１は、例えば、コネクタピンなどを介して、ユニット１０１−１のコネクタ１０８Ａ−１などのコネクタに接続され、上述した位置の情報であるＩＤ情報の取得、自分の状態（表向きの状態か裏向きの状態かなど）、または他の位置に取り付けられた表示装置の状態を表すデータの送受信を行うとともに、必要に応じて図示せぬリモートコマンダ（リモコン）から、例えば赤外線信号として送信されるコマンドに対応するセンサ情報を取得する。
【００６２】
なお、表示装置１２１Ａ乃至１２３Ｃのそれぞれにおいて、例えば、赤外線センサなどにより構成されるリモコン受信部（図示せず）が設けられているが、スケーラブルテレビシステム１００においては、必要に応じて、所定の表示装置が受信したリモコンからの信号が、他の表示装置にブロードキャストされる。
【００６３】
例えば、９台の表示装置のうち、６台が表向きであり、３台が裏向きである場合、表向きの６台の表示装置のうち、最も左下の位置にある表示装置が６台を代表してリモコンからの信号を受信し、自分と同じ向きの他の５台の表示装置に、自分が受信した信号のコマンドをブロードキャストする。一方、裏向きの３台の表示装置のうち、最も左下の位置にある表示装置が３台を代表してリモコンからの信号を受信し、自分と同じ向きの他の２台の表示装置に、自分が受信した信号のコマンドをブロードキャストする。このようにすることで、スケーラブルテレビシステム１００を表側から試聴するユーザも、裏側から試聴するユーザも、自由に所望のコマンドを投入できるとともに、表示装置が多数あっても、コマンドの受信状態にばらつきが発生することが抑止される。
【００６４】
中央処理部２０１は、制御情報通信部２０１により取得された情報に基づいて、スケーラブルテレビシステム１００の構成に関する処理を行い、スケーラブルテレビシステム１００の中の各位置の表示装置の状態を表す全体構成テーブルを生成して、テーブル記憶部２０３に記憶させる。
【００６５】
入力部２０４は、例えば、チューナなどを含んで構成され、ビデオ信号（データ）、テレビジョン放送の画像または音声の信号（データ）、インターフォンに接続されるモニタの信号（データ）など、表示装置が表示または出力すべきデータを、アプリケーション処理部２０５に供給する。
【００６６】
アプリケーション処理部２０５は、入力部２０４から供給されたデータを、例えば、リモコンから送信されるセンサ情報に基づいて、ズーム処理部２２１乃至セキュリティ割り込み処理部２２６の各モジュールにより処理し、出力部２０６に出力する。すなわち、アプリケーション処理部２０５は、リモコンを介して行われるユーザの指令に基づいて、モジュールを選択し、そのモジュールに対応する処理（後述するズーム処理、ストロボ処理などのアプリケーション処理）を実行させる。そして、ズーム処理部２２１乃至セキュリティ割り込み処理部２２６の各モジュールにより入力部２０４から供給されたデータに対して所定の処理が施されて、後述するズーム処理、ストロボ処理などの画像の表示が制御される。
【００６７】
なお、ズーム処理部２２１乃至セキュリティ割り込み処理部２２６の各モジュールの処理については後述する。
【００６８】
出力部２０６は、アプリケーション処理部２０５から出力されたデータに対応する信号を、例えば、ＬＣＤなどで構成される表示装置の表示部、スピーカなどで構成される音声出力部に出力する。
【００６９】
なお、表示装置１２１A乃至１２３Cのそれぞれが図９に示される内部構成を有するものとする。
【００７０】
次に、図１０のフローチャートを参照して、表示装置１２１A乃至１２３Cのそれぞれの表示装置による画像出力処理について説明する。この処理は、例えば、スケーラブルテレビシステム１００が起動されたとき実行される。
【００７１】
ステップS１０１において、中央処理部２０２は、図１１を参照して後述する構成認識処理を実行する。これにより、スケーラブルテレビシステム１００の中の各位置の表示装置の状態（現在取り付けられているか取り外されているか、また表向きか裏向きか）を表す全体構成テーブルが生成される。
【００７２】
ステップS１０２において、アプリケーション処理部２０５は、ステップS１０１の構成認識処理の結果に基づいて、個別アプリケーション処理を実行する。この処理は、ズーム処理部２２１乃至マルチビュー処理部２２５の各モジュールに対応する処理であり、選択されたモジュールにより異なるものとなる。個別アプリケーション処理の詳細については後述する。
【００７３】
ステップS１０３において、中央処理部２０２は、構成の変化を検知したか否かを判定する。例えば、スケーラブルテレビシステム１００を構成するユニットが回転された場合、ユニットから表示装置が取り外された場合（または取り付けられた場合）など、制御情報通信部２０１を介してその情報が取得されることにより、構成の変化が検知される。構成の変化を検知したと判定された場合、処理は、ステップS１０４に進む。
【００７４】
ステップS１０４において、中央処理部２０２は、再び構成認識処理を実行する。これにより、ステップS１０３で検知された構成の変化を反映した全体構成テーブルが生成される。
【００７５】
ステップS１０５において、アプリケーション処理部２０５は、ステップS１０４の構成認識処理の結果に基づいて、個別アプリケーション処理を実行する。
【００７６】
ステップS１０３において、構成の変化を検知していないと判定された場合、またはステップS１０４の処理の後、処理は、ステップS１０６に進み、中央処理部２０２は、アプリケーションの変更が指令されたか否かを判定する。例えば、制御情報通信部２０１を介して受信されるリモコンからのセンサ情報に基づいて、アプリケーションの選択（実行）を表すコマンドが取得された場合、ステップS１０６では、アプリケーションの変更が指令されたと判定され、処理は、ステップS１０７に進む。
【００７７】
ステップS１０７において、アプリケーション処理部２０５は、ステップS１０６の指令に対応するモジュールによる個別アプリケーション処理を実行する。このとき、ステップS１０１またはステップS１０４の構成認識処理の結果に基づいて、個別アプリケーション処理が実行される。
【００７８】
ステップS１０６において、アプリケーションの変更が指令されなかったと判定された場合、またはステップS１０７の処理の後、処理は、ステップS１０８に進み、中央処理部２０２は、割り込みが検知されたか否かを判定する。例えば、制御情報通信部２０１を介してインターフォンでの呼び出しがあったことを表す情報が取得された場合、割り込みが検知されたと判定され、処理は、ステップS１０９に進む。
【００７９】
ステップS１０９において、アプリケーション処理部２０５は、ステップS１０１またはステップS１０４の構成認識処理の結果に基づいて、割り込み処理を実行する。なお、割り込み処理は、セキュリティ割り込み処理部２２６により実行される処理であり、その詳細については後述する。
【００８０】
このように、スケーラブルテレビシステム１００の各表示装置においては、構成の変化、アプリケーションの変更、割り込みの検知に対応して個々のアプリケーション処理が実行され、画像（必要に応じて音声も）が出力される。
【００８１】
また、スケーラブルテレビシステム１００においては、上述した処理が、表示装置１２１Ａ乃至１２３Ｃのそれぞれの表示装置において、個々に実行される。すなわち、スケーラブルテレビシステム１００には、特に構成の変化やアプリケーションの実行状態のなどを管理する専用の装置がなく、親機と子機（マスター・スレーブ）など表示装置を区別して取り付ける必要もなく、各表示装置が個々に、スケーラブルテレビシステム１００全体の構成の変化などに対応して、自分が表示すべき画像を表示させることが可能である。従って、接続されるユニットの台数も、取り付けられる表示装置の台数も、自由に選択することが可能な（完全にスケーラブルな）スケーラブルテレビシステムを提供することができる。
【００８２】
さらに、上述した処理が、表示装置１２１Ａ乃至１２３Ｃのそれぞれの表示装置において、個々に実行されることで、表向きの表示装置（の集合体）と、裏向きの表示装置（の集合体）に別々のアプリケーション処理を同時に実行させることが可能となる。
【００８３】
次に、図１１のフローチャートを参照して、図１０のステップS１０１またはS１０４の構成認識処理の詳細について説明する。
【００８４】
ステップS１２１において、中央処理部２０２は、自分の状態を確認する。このとき、自分が現在表向きか裏向きかを表す情報が取得される。例えば、表示装置１２１Aの場合、中央処理部２０２は、制御情報通信部２０１を介して、ユニット１０１−１から現在表向きか裏向きかを表す情報を取得することにより自分の状態を確認する。
【００８５】
ステップS１２２において、中央処理部２０２は、制御情報通信部２０２を介して、自分の状態を他の表示装置にブロードキャストする。例えば、表示装置１２１Aの場合、ステップS１０１で、自分が表向きであることが確認できた場合、コネクタ１０８A−１を介してユニット１０１−１に、自分が表向きであることを表す情報を出力する。
【００８６】
このとき、自分の取り付け位置を表す情報（ＩＤ情報）も同時に出力され、いまの場合、図８のＡ１に対応するＩＤ情報「ｉｄ：Ａ１」と、「表」の情報とが対応付けられて、ユニット１０１−１内の他の表示装置である表示装置１２１Ｂと１２１Ｃにブロードキャストされるとともに、ユニット１０１−１と接続されるユニット１０１−２と１０１−３にも同じ情報が出力され、表示装置１２２Ａ乃至１２３Ｃにもブロードキャストされる。
【００８７】
なお、自分のＩＤは、例えば、次のようにして取得される。上述したように、例えば、ユニット１０１−１に設けられたコネクタ１０８Ａ−１乃至１０８Ｃ−１に記憶されている情報から、そのコネクタに接続される表示装置は、自分がユニット１０１−１の中で上から何番目の位置にあるかを確認することができる。そして、ユニット１０１−１が自分の左側に何台のユニットが接続されているかを確認し、その情報をコネクタ１０８Ａ−１乃至１０８Ｃ−１を介して、表示装置１２１Ａ乃至１２１Ｃに提供すれば、表示装置１２１Ａ乃至１２１Ｃは、自分のＩＤを取得することができる。
【００８８】
例えば、表示装置１２１Ａの場合、ユニット内の一番上のコネクタ（コネクタ１０８Ａ−１）に接続されており、また、自分が取り付けられているユニット１０１−１の左側には、１台もユニットが接続されていないので、自分のＩＤ（取り付け位置）はＡ（最も上）１（最も左）であると確認できる。
【００８９】
また、例えば、表示装置１２３Ｃの場合、ユニット内の一番下のコネクタに接続されており、また、自分が取り付けられているユニット１０１−３の左側には、２台もユニットが接続されているので、自分のＩＤ（取り付け位置）はＣ（最も下）３（左から３番目）であると確認できる。
【００９０】
勿論、表示装置１２１Ａ乃至１２３Ｃに、予め取り付け位置に対応するＩＤを記憶させておくようにしてもよいし、ユニット１０１−１乃至１０１−３の各取り付け位置のコネクタに、予め同様のＩＤを記憶させておくようにしてもよい。
【００９１】
ステップＳ１２３において、中央処理部２０２は、他の表示装置の状態を取得する。ここでは、ステップＳ１２２の処理と同様にして、他の表示装置がブロードキャストしたＩＤ情報と、自分が現在表向きか裏向きかを表す情報とが対応付けられたものが取得され、例えば、表示装置１２１Aの場合、表示装置１２１Ｂと１２１Ｃおよび表示装置１２２Ａ乃至１２３Ｃからブロードキャストされた表示装置の状態を取得する。
【００９２】
ステップＳ１２４において、中央処理部２０２は、全ての表示装置の状態が取得されたか、または所定の時間が経過したか否かを判定し、全ての表示装置の状態が取得されたか、または所定の時間が経過したと判定されるまで待機する。全ての表示装置の台数に関する情報は、例えば、自分が接続されるユニットから取得される。例えば、表示装置１２１Aの場合、ユニット１０１−１により、スケーラブルテレビシステム１００には、ユニット１０１−２および１０１−３が接続されていることが通知され、スケーラブルテレビシステム１００には、最大で９台の表示装置が取り付け可能であることが分かる。しかし、ユニットから表示装置が取り外されていることもあり得るので、所定の時間が経過してもその状態が取得できない表示装置は取り外されているもの判定される。
【００９３】
ステップＳ１２５において、中央処理部１２５は、全体構成テーブルを生成し、テーブル記憶部２０３に記憶する。このとき、例えば、図１２に示されるようなテーブルが全体構成テーブルとして生成される。
【００９４】
図１２は、全体構成テーブルの例を示す図である。同図は、図７および図８に対応する状態の場合の全体構成テーブルの例である。すなわち、ＩＤ（ｉｄ）情報が「Ａ１」、「Ａ３」、「Ｃ２」および「Ｃ３」の状態が「表」とされ、ＩＤ（ｉｄ）情報が「Ｂ１」乃至「Ｂ３」の状態が裏とされ、ＩＤ（ｉｄ）情報が「Ａ２」、および「Ｃ１」の状態が「なし（取り外されていることを表す）」とされている。
【００９５】
また、この全体構成テーブルには、ＩＤが「Ａ１」から「ｎ」まで記述されているが、いまの場合、Ｃ３より後（図中右側）のＩＤは存在しないので、状態は「なし」とされている。例えば、スケーラブルテレビシステム１００に４台目のユニット１０１−４が接続された場合、ＩＤが「Ｄ１」乃至「Ｄ３」として、その状態とともに記述されていくことになる。また、全体構成テーブルの更新時刻は、例えば、そのＩＤ情報に対応する状態の情報が取得された時刻を表す。
【００９６】
このようにして構成認識処理が実行され、全体構成テーブルが生成される。図１０の例においては、構成認識処理は、ステップＳ１０１またはステップＳ１０４で実行されるようにしたが、例えば、予め設定された所定の時間が経過する都度、実行されるようにしてもよい。このようにすることで、構成の変化を効率的に検知することが可能となる。
【００９７】
例えば、３分おきに、構成認識処理が実行されるようにして、各表示装置からブロードキャストされる状態の情報に基づいて、全体構成テーブルを更新し、全体構成テーブルの状態の欄の記述内容に変更があった場合、構成の変化として検知されるようにしてもよい。この場合、例えば、更新時刻が現在時刻より３分以上前のＩＤの表示装置は、取り外されたものと判定され、状態が「なし」に変更されることにより、全体構成テーブルの状態の欄の記述内容が変更され、やはり構成の変化として検知される。
【００９８】
次に、図９のアプリケーション処理部２０５に含まれる１つのモジュールである、ズーム処理部２２１により実行されるズーム処理について説明する。ズーム処理は、１つの画像を複数の表示装置を使って拡大して表示する処理である。
【００９９】
図１３乃至図１５は、ズーム処理により表示される画像の例を示す図である。この例では、人型のオブジェクト３０１が１つの画像として複数の表示装置により表示されている。
【０１００】
図１３は、スケーラブルテレビシステム１００において、ユニット１０１−１乃至１０１−３が、いずれも回転されていない状態のズーム処理の例を示す図である。この状態においては、表示装置１２１Ａ乃至１２３Ｃの９（３×３）台の表示装置があたかも１台の表示装置のように、１つのオブジェクト３０１の画像を表示する。
【０１０１】
図１２は、スケーラブルテレビシステム１００において、ユニット１０１−１が１８０°回転された状態のズーム処理の例を示す図である。この状態においては、スケーラブルテレビシステム１００を表側から試聴するユーザに対して画像を表示するための表示装置として、表示装置１２２Ａ乃至１２３Ｃの最大で６（２×３）台の表示装置を利用することができるが、画面の縦方向と横方向の長さを等しくするためには、４（２×２）台の表示装置しか利用することができない。このため、表示装置１２２Ａ、１２２Ｂ、１２３Ａ、および１２３Ｂの４（２×２）台の表示装置があたかも１台の表示装置のように、１つのオブジェクト３０１の画像を表示する。
【０１０２】
図７は、スケーラブルテレビシステム１００において、ユニット１０１−２が１８０°回転された状態のズーム処理の例を示す図である。この状態においては、スケーラブルテレビシステム１００を表側から試聴するユーザに対して画像を表示するための表示装置として、表示装置１２１Ａ乃至１２１Ｃおよび１２３Ａ乃至１２３Ｃの最大で６台の表示装置を利用することが可能であるが、表示装置１２２Ａ乃至１２２Ｃが裏向きであるため、６台の表示装置で画像を連続して表示することができない。また、画面の縦方向と横方向の長さを等しくするためには、１台の表示装置しか利用することができない。このため、表示装置１２１Ａに１つのオブジェクト３０１の画像が表示される。
【０１０３】
次に、図１６のフローチャートを参照して、図１０のステップＳ１０２、Ｓ１０５、またはＳ１０７の個別アプリケーション処理の１つである、ズーム処理の詳細について説明する。この処理は、アプリケーション処理部２０５の中で、ズーム処理部２２１が処理を実行すべきモジュールとして選択されている場合、ステップＳ１０２、Ｓ１０５、またはＳ１０７において実行される。
【０１０４】
ステップＳ２０１において、ズーム処理部２２１は、中央処理部２０２を介してテーブル記憶部２０３に記憶されている全体構成テーブルを取得し、内容を確認する。
【０１０５】
ステップＳ２０２において、ズーム処理部２２１は、自分のＩＤを確認する。すなわち、自分は、位置Ａ１乃至位置Ｃ３のうちのいずれの位置に取り付けられている表示装置であるかが確認される。
【０１０６】
ステップＳ２０３において、ズーム処理部２２１は、図１７を参照して後述する表示位置対応処理を実行する。これにより、ステップＳ２０１で確認された全体構成に基づいて、ステップＳ２０２で確認された自分の位置に対応する画像が表示されることになる。
【０１０７】
ここで、図１７のフローチャートを参照して、図１６のステップＳ２０３の表示位置対応処理の詳細について説明する。
【０１０８】
ステップＳ２２１において、ズーム処理部２２１は、表示倍率を選択する。
【０１０９】
ステップＳ２２２において、ズーム処理部２２１は、表示する画像全体の中で自分が表示すべき部分の中心位置に対応する座標である中心座標を演算する。すなわち、ズーム処理を行う場合、上述したように表示装置の取り付け位置に応じて、自分が表示する画像の部位が異なってくるため、各表示装置は、それぞれ自分が表示する部位の中心位置の座標を演算する。
【０１１０】
ステップＳ２２３において、ズーム処理部２２１は、ステップＳ２２２で演算された中心座標を中心とし、ステップＳ２２１で選択された倍率で画像を表示する。
【０１１１】
図１８乃至図２１を参照してさらに詳しく説明する。なお、ここでは、同図において、格子状のハッチにより示される位置Ａ２に取り付けられた表示装置（表示装置１２２Ａ）が行う表示位置対応処理を例として説明する。
【０１１２】
図１８は、ユニット１０１−１乃至１０１−３がいずれも回転されていない場合の例であり、この場合、上述したように９台の表示装置があたかも１台の表示として１つの画像を表示する。すなわち、この場合表示される画像のサイズは、図中点線で示される枠３１１で表され、個々の表示装置により１つの画像を表示する場合の９倍の大きさの画像となる。
【０１１３】
この場合、ステップＳ２２１では、表示倍率として９倍が選択され、ステップＳ２２２では、自分が位置Ａ２に対応する表示装置（前９台中左から２番目であり、上から１番目の表示装置）であることが確認される。
【０１１４】
そして、ステップＳ２２３では、中心座標が例えば、次式により演算される。
【０１１５】
中心座標（ｘ，ｙ）＝（ｗ／６＋ｗ／３，ｈ／６）
【０１１６】
ここで、ｗは、枠３１１の図中横方向の長さ（すなわち画像の幅）を表し、ｈは、枠３１１の図中縦方向の長さ（すなわち画像の高さ）を表す。この演算により、枠３１１の中に表示される画像における表示装置１２２Ａの表示部の中心点付近の画素の位置が、中心座標として演算されることになる。
【０１１７】
図１９は、ユニット１０１−３が１８０°回転された場合の例であり、この場合、上述したように４台の表示装置があたかも１台の表示として１つの画像を表示する。すなわち、この場合表示される画像のサイズは、図中点線で示される枠３１２で表され、個々の表示装置により１つの画像を表示する場合の４倍の大きさの画像となる。
【０１１８】
この場合、ステップＳ２２１では、表示倍率として４倍が選択され、ステップＳ２２２では、自分が位置Ａ２に対応する表示装置（前４台中左から１番目であり、上から１番目の表示装置）であることが確認される。
【０１１９】
そして、ステップＳ２２３では、中心座標が例えば、次式により演算される。
【０１２０】
中心座標（ｘ，ｙ）＝（ｗ／４＋ｗ／２，ｈ／４）
【０１２１】
この演算により、枠３１２の中に表示される画像における表示装置１２２Ａの表示部の中心点付近の画素の位置が、中心座標として演算されることになる。
【０１２２】
図２０は、ユニット１０１−３が１８０°回転された場合の例であり、この場合もやはり、４台の表示装置があたかも１台の表示として１つの画像を表示する。すなわち、この場合表示される画像のサイズは、図中点線で示される枠３１３で表され、個々の表示装置により１つの画像を表示する場合の４倍の大きさの画像となる。
【０１２３】
この場合、ステップＳ２２１では、表示倍率として４倍が選択され、ステップＳ２２２では、自分が位置Ａ２に対応する表示装置（前４台中左から２番目であり、上から１番目の表示装置）であることが確認される。
【０１２４】
そして、ステップＳ２２３では、中心座標が例えば、次式により演算される。
【０１２５】
中心座標（ｘ，ｙ）＝（ｗ／４，ｈ／４）
【０１２６】
この演算により、枠３１３の中に表示される画像における表示装置１２２Ａの表示部の中心点付近の画素の位置が、中心座標として演算されることになる。
【０１２７】
図２１は、ユニット１０１−２が１８０°回転された場合の例であり、この場合、上述したように１台の表示装置が１つの画像を表示する。すなわち、この場合表示される画像のサイズは、図中点線で示される枠３１４で表され、個々の表示装置により１つの画像を表示する場合と等しい倍率（１倍）の大きさの画像となる。
【０１２８】
この場合、ステップＳ２２１では、表示倍率として１倍が選択され、ステップＳ２２２では、自分が位置Ａ２に対応する表示装置（前１台中左から１番目であり、上から１番目の表示装置）であることが確認される。
【０１２９】
この場合、表示倍率が１倍なので、ステップＳ２２３で中心座標を演算する必要はない。
【０１３０】
このようにして、ズーム処理が行われる。このようにすることで、スケーラブルテレビシステムの個々の表示装置の状態に応じて、最適な大きさに拡大された画像を表示することができる。
【０１３１】
次に、図９のアプリケーション処理部２０５に含まれるモジュールである、ストロボ処理部２２２、情報抽出処理部２２３、またはメモ処理部２２４のそれぞれにより実行されるストロボ処理、情報抽出処理、またはメモ処理について説明する。
【０１３２】
最初にストロボ処理について説明する。ストロボ処理は、動画像を所定の時間間隔で順番にスチル（静止）させ、スチルされたタイミング毎の画像を複数の表示装置にそれぞれ表示する処理である。ストロボ処理は、例えば、スポーツの試合などの放送中に、選手の動きを分かり易く見せることができ、ユーザにより、ストロボ処理の実行が指令されたときから、順番に動画像のスチルを開始する。
【０１３３】
図２２は、スケーラブルテレビシステム１００において、ユニット１０１−１乃至１０１−３がいずれも回転されていない状態で、ストロボ処理が実行された場合の画像の表示の例を示す図である。同図は、人型のオブジェクトが画面の左側から右側に向かって移動する動画像であって、第１フレーム乃至第９フレームまでの動画像が１フレーム分の時間間隔で順番にスチルされる例である。ストロボ処理によりスチルされた各フレームの画像は、図中点線の矢印で示されるように、表示装置１２１Ａ乃至１２３Ｃのそれぞれにより表示される。
【０１３４】
同図に示されるように、第１フレームの画像は、表示装置１２１Ａにより静止画像として表示され、第２フレームの画像は、表示装置１２２Ａにより静止画像として表示され、第３フレームの画像は、表示装置１２３Ａにより静止画像として表示され、・・・のようにスチルされた画像（静止画像）が順番に表示されている。なお、各表示装置に表示される画像には、便宜上、１乃至９のフレームの順番を表す番号が表示されているが、実際にはこの番号は表示されない。
【０１３５】
図２３は、スケーラブルテレビシステム１００において、ユニット１０１−３が回転された状態において、ストロボ処理が実行された場合の画像の表示の例を示す図である。図２３では、図２２の場合とことなり、表示装置１２３Ａ乃至１２３Ｃが裏向きになっており、ストロボ処理の画像を表示させることができないため、第１フレームの画像は、表示装置１２１Ａにより静止画像として表示され、第２フレームの画像は、表示装置１２２Ａにより静止画像として表示され、第３フレームの画像は、表示装置１２１Ｂにより静止画像として表示され、・・・のようにスチルされた画像（静止画像）が順番に表示されており、第７フレーム乃至第９フレームの画像は表示されていない。
【０１３６】
図２４は、スケーラブルテレビシステム１００において、ユニット１０１−３が回転された状態において、ストロボ処理が実行された場合の画像の表示の例を示す図である。図２４では、図２２の場合とことなり、表示装置１２２Ａ乃至１２２Ｃが裏向きになっており、ストロボ処理の画像を表示させることができないため、第１フレームの画像は、表示装置１２１Ａにより静止画像として表示され、第２フレームの画像は、表示装置１２３Ａにより静止画像として表示され、第３フレームの画像は、表示装置１２１Ｂにより静止画像として表示され、・・・のようにスチルされた画像（静止画像）が順番に表示されており、第７フレーム乃至第９フレームの画像は表示されていない。
【０１３７】
また、スケーラブルテレビシステム１００において、各表示装置に画像を表示させる順番は、任意に設定することができる。例えば、図２４に示される画像の表示の順番を、図２５に示されるように変更することも可能である。図２５の場合、第１フレームの画像は、表示装置１２１Ａにより静止画像として表示され、第２フレームの画像は、表示装置１２１Ｂにより静止画像として表示され、第３フレームの画像は、表示装置１２１Ｃにより静止画像として表示され、・・・のようにスチルされた画像（静止画像）が順番に表示されている。
【０１３８】
さらに、上述したようにスケーラブルテレビシステム１００においては、各表示装置を個別にユニットから取り外すことが可能である。図２６は、スケーラブルテレビシステム１００において、表示装置１２３Ａが取り外された状態において、ストロボ処理が実行された場合の画像の表示の例を示す図である。図２６では、図２２の場合とことなり、図中でハッチングされて示されている表示装置１２３Ａの位置（位置Ａ３）にストロボ処理の画像を表示させることができないため、第１フレームの画像は、表示装置１２１Ａにより静止画像として表示され、第２フレームの画像は、表示装置１２２Ａにより静止画像として表示され、第３フレームの画像は、表示装置１２１Ｂにより静止画像として表示され、・・・のようにスチルされた画像（静止画像）が順番に表示されており、第９フレームの画像は表示されていない。
【０１３９】
次に、情報抽出処理について説明する。情報抽出処理は、放送された画像の中にテロップなど、特定の画像が表示されたタイミングで順番にスチルさせ、スチルされたタイミングの静止画像を複数の表示装置にそれぞれ順番に表示する処理である。なお、複数の表示装置のうちの１つには、通常の画像（動画像）が表示され続ける。情報抽出処理は、例えば、料理番組などを試聴しているとき、画面に表示されるレシピなどを分かり易く見せることができ、ユーザにより、情報抽出処理の実行が指令されたときから、テロップなどの特定の画像を自動的に検出し、順番に画像のスチルを開始する。
【０１４０】
図２７は、スケーラブルテレビシステム１００において、ユニット１０１−１乃至１０１−３がいずれも回転されていない状態で、情報抽出処理が実行された場合の画像の表示の例を示す図である。同図は、自動的に検出されたテロップなどが表示された画像が、情報抽出結果１乃至情報抽出結果８として順番にスチルされる例である。なお、この例では、スケーラブルテレビシステム１００において、最も左上側の表示装置（いまの場合、表示装置１２１Ａ）には、通常の画像が表示され続けるものとする。
【０１４１】
同図に示されるように、情報抽出結果１（１回目にテロップが検出されたタイミングの静止画像）は、表示装置１２２Ａにより静止画像として表示され、情報抽出結果２（２回目にテロップが検出されたタイミングの静止画像）は、表示装置１２３Ａにより静止画像として表示され、情報抽出結果３（３回目にテロップが検出されたタイミングの静止画像）は、表示装置１２１Ｂにより静止画像として表示され、・・・のようにスチルされた画像（静止画像）が順番に表示されている。
【０１４２】
なお、情報抽出処理において、通常の画像を表示する表示装置は、最も左上側の表示装置１台に限られるものではなく、任意に設定されるようにすることも可能である。
【０１４３】
図２８は、スケーラブルテレビシステム１００において、ユニット１０１−３が回転された状態において、情報抽出処理が実行された場合の画像の表示の例を示す図である。図２８では、図２７の場合とことなり、表示装置１２３Ａ乃至１２３Ｃが裏向きになっており、情報抽出処理の画像を表示させることができないため、情報抽出結果１は、表示装置１２２Ａにより静止画像として表示され、情報抽出結果２は、表示装置１２１Ｂにより静止画像として表示され、情報抽出結果３は、表示装置１２２Ｂにより静止画像として表示され、・・・のようにスチルされた画像（静止画像）が順番に表示されており、情報抽出結果６乃至情報抽出結果８は表示されていない。
【０１４４】
なお、スケーラブルテレビシステムにおいて、ユニット１０１−３以外のユニットが回転された場合、または表示装置がユニットから取り外された状態における情報抽出処理が実行された場合の画像の表示は、図２４乃至図２６の場合と同様に制御される。
【０１４５】
次に、メモ処理について説明する。メモ処理は、放送された画像を、都度指定されるタイミングで順番にスチルさせ、スチルされたタイミングの静止画像を複数の表示装置にそれぞれ順番に表示する処理である。なお、複数の表示装置のうちの１つには、通常の画像（動画像）が表示され続ける。メモ処理は、例えば、生活情報番組などを試聴しているとき、画面に表示される交通案内や店舗の特徴などを分かり易く見せることができ、ユーザによりリモコンなどで、スチルの実行が指令されたとき、都度、順番に画像をスチルさせていく。
【０１４６】
図２９は、スケーラブルテレビシステム１００において、ユニット１０１−１乃至１０１−３がいずれも回転されていない状態で、メモ処理が実行された場合の画像の表示の例を示す図である。同図は、ユーザによりスチルの実行が指令されたタイミングの画像が、メモ１乃至メモ８として順番にスチルされる例である。なお、この例では、スケーラブルテレビシステム１００において、最も左上側の表示装置（いまの場合、表示装置１２１Ａ）には、通常の画像が表示され続けるものとする。
【０１４７】
同図に示されるように、メモ１（１回目にスチルの実行が指令されたタイミングの静止画像）は、表示装置１２２Ａにより静止画像として表示され、メモ２（２回目にスチルの実行が指令されたタイミングの静止画像）は、表示装置１２３Ａにより静止画像として表示され、メモ３（３回目にスチルの実行が指令されたタイミングの静止画像）は、表示装置１２１Ｂにより静止画像として表示され、・・・のようにスチルされた画像（静止画像）が順番に表示されている。
【０１４８】
なお、情報抽出処理において、通常の画像を表示する表示装置は、最も左上側の表示装置１台に限られるものではなく、任意に設定されるようにすることも可能である。
【０１４９】
図３０は、スケーラブルテレビシステム１００において、ユニット１０１−３が回転された状態において、メモ処理が実行された場合の画像の表示の例を示す図である。図３０では、図２９の場合とことなり、表示装置１２３Ａ乃至１２３Ｃが裏向きになっており、メモ処理の画像を表示させることができないため、メモ１は、表示装置１２２Ａにより静止画像として表示され、メモ２は、表示装置１２１Ｂにより静止画像として表示され、情メモ３は、表示装置１２２Ｂにより静止画像として表示され、・・・のようにスチルされた画像（静止画像）が順番に表示されており、メモ６乃至メモ８は表示されていない。
【０１５０】
なお、スケーラブルテレビシステムにおいて、ユニット１０１−３以外のユニットが回転された場合、または表示装置がユニットから取り外された状態におけるメモ処理が実行された場合の画像の表示は、図２４乃至図２６の場合と同様に制御される。
【０１５１】
このように、ストロボ処理、情報抽出処理、およびメモ処理のそれぞれは、スケーラブルテレビシステム１００に取り付けられている各表示装置のそれぞれが個別に、所定のタイミングで画像をスチルさせて表示する処理であり、ここでは、ストロボ処理、情報抽出処理、またはメモ処理を、まとめて時間別個別表示処理と称する。
【０１５２】
次に、図３１のフローチャートを参照して、ストロボ処理部２２２、情報抽出処理部２２３、またはメモ処理部２２４のそれぞれにより実行されるストロボ処理、情報抽出処理、またはメモ処理に対応する時間別個別表示処理について説明する。すなわち、ストロボ処理、情報抽出処理、またはメモ処理を、まとめて時間別個別表示処理として説明する。
【０１５３】
この処理は、図１０のステップＳ１０２、Ｓ１０５、またはＳ１０７の個別アプリケーション処理の１つであって、アプリケーション処理部２０５の中で、ストロボ処理部２２２が処理を実行すべきモジュールとして選択されている場合、ストロボ処理として実行され、情報抽出処理部２２３が処理を実行すべきモジュールとして選択されている場合、情報抽出処理として実行され、メモ処理部２２４が処理を実行すべきモジュールとして選択されている場合、メモ処理として実行される。なお、同図の説明において、ストロボ処理部２２２、情報抽出処理部２２３、またはメモ処理部２２４をまとめて各処理部と称する。
【０１５４】
ステップＳ３０１において、各処理部は、中央処理部２０２を介してテーブル記憶部２０３に記憶されている全体構成テーブルを取得し、内容を確認する。
【０１５５】
ステップＳ３０２において、各処理部は、自分のＩＤを確認する。すなわち、自分は、位置Ａ１乃至位置Ｃ３のうちのいずれの位置に取り付けられている表示装置であるかが確認される。
【０１５６】
ステップＳ３０３において、各処理部は、図３２を参照して後述する表示順序演算処理を実行する。ここで、図３２のフローチャートを参照して、図３１のステップＳ３０３の表示順序演算処理の詳細について説明する。
【０１５７】
ステップＳ３２１において、各処理部は、自分より前の表示装置の台数を確認する。例えば、ステップＳ３０１の処理で確認された全体構成テーブルが図１２に示される全体構成テーブルであり、ステップＳ３０２の処理で確認された自分のＩＤが「Ａ３」であった場合、ストロボ処理部２２２（ストロボ処理が実行されているとき）は、自分より前の表示装置の台数は、位置Ａ１に対応する表示装置１台であると確認する。すなわち、位置Ａ２に対応する表示装置は取り外されており、画像を表示できないので、自分より前の表示装置は１台ということになる。情報抽出処理、メモ処理では、位置Ａ１に対応する表示装置には、通常画像が表示され続けるため、情報抽出処理部２２３、またはメモ処理部２２４は、自分より前の表示装置の台数は、０であると確認する。
【０１５８】
ステップＳ３２２において、各処理部は、自分より後の表示装置の台数を確認する。いまの場合、各処理部は、自分より後の表示装置の台数は、位置Ｃ２と位置Ｃ３に対応する表示装置の２台であると確認する。すなわち、位置Ｂ１乃至Ｂ３に対応する表示装置は、裏向きであり、この処理における画像の表示には利用できず、また、位置Ｃ１に対応する表示装置は取り外されており、画像を表示できないので、自分より後の表示装置は２台ということになる。
【０１５９】
ステップＳ３２３において、各処理部は、ステップＳ３２１とＳ３２２の処理の結果に基づいてイベントカウンタを設定する。例えば、ストロボ処理部２２２は、自分が、スチルされた画像を表示可能な全４台の表示装置のうち、第２番目の表示装置であるとして、イベントカウンタを設定する。これにより、例えば、第２フレーム目の画像、第６（２＋４）フレーム目の画像、・・・が表示されるようにイベントカウンタが設定される。
【０１６０】
また、情報抽出処理部２２３、またはメモ処理部２２４は、自分が、スチルされた画像を表示可能な全３台の表示装置のうち、第１番目の表示装置であるとして、イベントカウンタを設定する。これにより、例えば、情報抽出結果１またはメモ１、情報抽出結果４（１＋３）またはメモ４、・・・が表示されるようにイベントカウンタが設定される。
【０１６１】
図３１に戻って、ステップＳ３０３の処理の後、処理は、ステップＳ３０４に進み、各処理部は、時間別個別表示処理が終了したか否かを判定する。例えば、ユーザがリモコンにより処理の終了を指令した場合、ステップＳ３０３において、処理は終了したと判定される。
【０１６２】
ステップＳ３０４において、処理はまだ終了していないと判定された場合、処理は、ステップＳ３０５に進み、各処理部はイベントが検知されたか否かを判定し、イベントが検知されたと判定されるまで待機する。ここでイベントは、画像をスチルされるトリガとなるものであり、例えば、ストロボ処理が実行されている場合、所定の時間（例えば、１フレーム分の時間）が経過したことがイベントとされる。また、情報抽出処理が実行されている場合、テロップなどの特定の画像が検出されたことがイベントとなり、メモ処理が実行されている場合、ユーザによりスチルの実行が指令されたことがイベントとなる。
【０１６３】
ステップＳ３０５において、イベントが検知されたと判定された場合、処理は、ステップＳ３０６に進み、各処理部は、図３２を参照して上述した処理により設定されたイベントカウンタをインクリメントする。
【０１６４】
ステップＳ３０７において、各処理部は、イベントカウンタに基づいて、自分が画像を表示する順番か否かを判定する。いまの場合、例えば、ストロボ処理部２２２は、第２フレーム目の画像、第６（２＋４）フレーム目の画像、・・・に対応するイベントが検知された場合、自分が画像を表示する順番であると判定し、情報抽出処理部２２３、またはメモ処理部２２４は、情報抽出結果１またはメモ１、情報抽出結果４（１＋３）またはメモ４、・・・に対応するイベントが検知された場合、自分が画像を表示する順番であると判定する。
【０１６５】
ステップＳ３０８において、各処理部は、画像をスチルさせ、静止画像を表示する。
【０１６６】
その後、処理は、ステップＳ３０４に戻り、ステップＳ３０４において、時間別個別表示処理が終了したと判定されるまで、それ以後の処理が繰り返し実行される。
【０１６７】
このようにして、時間別個別表示処理（すなわち、ストロボ処理、情報抽出処理、またはメモ処理）が実行される。このような処理がスケーラブルテレビシステム１００に取り付けられる各表示装置においてそれぞれ実行されるようにすることで、スケーラブルテレビシステム１００の構成が変化しても適切に画像を表示することができる。
【０１６８】
次に、図９のアプリケーション処理部２０５に含まれる１つのモジュールである、マルチビュー処理部２２５により実行されるマルチビュー処理について説明する。マルチビュー処理は、複数の種類の画像を、複数の表示装置を使って表示する処理であり、例えば、野球の試合などをなどの放送中に、それぞれのポジションの選手の動きを分かり易く見せることができ、例えば、ユーザの指令に基づいて実行される。
【０１６９】
図３３は、スケーラブルテレビシステム１００において、ユニット１０１−１乃至１０１−３がいずれも回転されていない状態で、マルチビュー処理が実行された場合の画像の表示の例を示す図である。同図は、予め設定された各ポジションの画像が、各表示装置に順番に表示される例である。
【０１７０】
同図に示されるように、表示装置１２１Ａには、ピッチャーの画像が表示され、表示装置１２２Ａには、バッタの画像が表示され、表示装置１２３Ａには、ファーストの画像が表示され、・・・のように各ポジションの画像が順番に表示されている。
【０１７１】
図３４は、スケーラブルテレビシステム１００において、ユニット１０１−３が回転された状態において、マルチビュー処理が実行された場合の画像の表示の例を示す図である。図３４では、図３３の場合とことなり、表示装置１２３Ａ乃至１２３Ｃが裏向きになっており、マルチビュー処理の画像を表示させることができないため、表示装置１２１Ａには、ピッチャーの画像が表示され、表示装置１２２Ｂには、バッタの画像が表示され、表示装置１２１Ｂには、ファーストの画像が表示され、・・・のように各ポジションの画像が順番に表示されており、レフト、ライト、およびセンタの画像は表示されていない。ここで、どのポジションの画像が表示され、どのポジションの画像が表示されないかについては、例えば、予め設定された各ポジションの画像の表示の優先順位を表すテーブルなどに基づいて制御される。
【０１７２】
なお、スケーラブルテレビシステムにおいて、ユニット１０１−３以外のユニットが回転された場合、または表示装置がユニットから取り外された状態におけるマルチビュー処理が実行された場合の画像の表示は、図２４乃至図２６の場合と同様に制御される。
【０１７３】
図３５は、マルチビュー処理部２２５の詳細な構成例を示すブロック図である。この例では、マルチビューとして表示される複数の種類の画像を保存するマルチビューストレージ４０１−１乃至４０１−ｎが設けられている。例えば、放送信号において多重化された各ポジションの画像は、個々の画像に分割されて、それぞれ異なるマルチビューストレージに保存される。そして、入力選択部４０２により、例えば、ユーザの指令に基づいて、表示すべき画像が保存されているマルチビューストレージが選択され、出力部に出力される。
【０１７４】
なお、複数の種類の画像は、マルチビューストレージに蓄えられたものに限られるものではなく、例えば、複数のチャネルの信号を受信して画像（音声）を生成するマルチビューチューナなどから複数の種類の画像が供給されるようにしてもよい。
【０１７５】
次に、図３６のフローチャートを参照して、図１０のステップＳ１０２、Ｓ１０５、またはＳ１０７の個別アプリケーション処理の１つである、マルチビュー処理の詳細について説明する。この処理は、アプリケーション処理部２０５の中で、マルチビュー処理部２２５が処理を実行すべきモジュールとして選択されている場合、ステップＳ１０２、Ｓ１０５、またはＳ１０７において実行される。
【０１７６】
ステップＳ４０１において、マルチビュー処理部２２５は、中央処理部２０２を介してテーブル記憶部２０３に記憶されている全体構成テーブルを取得し、内容を確認する。
【０１７７】
ステップＳ４０２において、マルチビュー処理部２２５は、自分のＩＤを確認する。すなわち、自分は、位置Ａ１乃至位置Ｃ３のうちのいずれの位置に取り付けられている表示装置であるかが確認される。
【０１７８】
ステップＳ４０３において、マルチビュー処理部２２５は、自分が表示すべき画像を選択する。これにより、例えば、マルチビューストレージ４０１−１乃至４０１−ｎのうちの１つのマルチビューストレージが選択される。
【０１７９】
ステップＳ４０４において、マルチビュー処理部２２５（入力切替部４０２）は、ステップＳ４０３の処理により選択された画像を出力部に出力させ、ステップＳ４０５において、ステップＳ４０４の処理で出力された画像が表示される。
【０１８０】
このようにして、マルチビュー処理が行われる。このようにすることで、スケーラブルテレビシステム１００の構成が変化しても、表示すべき画像（優先順位の高い画像）を表示することができる。
【０１８１】
次に、図９のアプリケーション処理部２０５に含まれる１つのモジュールである、セキュリティ割り込み処理部２２６により実行される割り込み処理について説明する。割り込み処理は、例えば、インタフェーフォンの呼び出しがあったとき、インターフォンに接続されるモニタの画像を、スケーラブルテレビシステム１００の一部に強制的に表示する（割り込み表示する）処理である。あるいはまた、防災、防犯などに関する警告が割り込み表示されるようにすることも可能である。
【０１８２】
図３７は、スケーラブルテレビシステム１００において、ユニット１０１−１乃至１０１−３が、いずれも回転されていない状態（全ての表示装置が表向きの状態）の割り込み処理の例を示す図である。この状態においては、表示装置１２１Ａ乃至１２３Ｃの９台の表示装置のうち、最も左上の位置Ａ１に対応する表示装置１２１Ａに、画像が割り込み表示される。このとき、表示装置１２１Ａ以外の表示装置は、それまで表示されていた画像を表示し続ける。例えば、ズーム処理が実行中である場合、表示装置１２１Ｂ乃至１２３Ｃの８台の表示装置は、９倍の表示倍率で表示される画像のそれぞれの部位の画像を表示し続ける。
【０１８３】
図３８は、スケーラブルテレビシステム１００において、ユニット１０１−３が１８０°回転された状態の割り込み処理の例を示す図である。この状態においては、表向きの状態の表示装置１２１Ａ乃至１２２Ｃの６台の表示装置のうち、最も左上の表示装置１２１Ａに、画像が割り込み表示され、また、裏向きの状態の表示装置１２３Ａ乃至１２３Ｃのうち、最も左上（上）の表示装置１２３Ａに画像が割り込み表示される。
【０１８４】
なお、同図においては、便宜上、裏向きの表示装置であって、ユニット１０１−３に取り付けられる表示装置１２３A乃至１２３Cが表向きの場合と同様に表示されているが、実際には、表示装置１２３Ａ乃至１２３Ｃの表示部は、表示装置１２１Ａ乃至１２２Ｃの表示部と反対側（紙面と反対側）に向けられているので、スケーラブルテレビシステム１００を、表側から試聴するユーザには、表示装置１２３Ａに割り込み表示される画像を含めて、裏向きの状態の表示装置１２３Ａ乃至１２３Ｃにより表示される画像が観察されることはない。
【０１８５】
すなわち、スケーラブルテレビシステム１００においては、例えば、インターフォンでの呼び出しがあった場合、表向きの表示装置と、裏向きの表示装置の中で、それぞれ１つの表示装置において、それまで表示されていた画像や実行されていたアプリケーション処理、またはユーザの指令の有無にかかわらず、インターフォンに接続されるモニタの画像に強制的に切り替えられて、画像が割り込み表示される。なお、表示装置１２１Ａ以外の表向きの表示装置と、表示装置１２３Ａ以外の裏向きの表示装置は、それそれ、表側と裏側とでそれまで表示されていた画像を表示し続ける。このようにすることで、スケーラブルテレビシステム１００を表側から見ているユーザにも、裏側から見ているユーザにも、緊急に知らせるべき情報を提示することができる。
【０１８６】
なお、セキュリティ割り込み処理において、画像が割り込み表示される表示装置は、最も左上の表示装置１台に限られるものではなく、任意に設定されるようにしてもよい。
【０１８７】
次に、図３９のフローチャートを参照して、図１０のステップＳ１０９の割り込み処理の詳細について説明する。
【０１８８】
ステップＳ５０１において、セキュリティ割り込み処理部２２６は、中央処理部２０２を介してテーブル記憶部２０３に記憶されている全体構成テーブルを取得し、内容を確認する。
【０１８９】
ステップＳ５０２において、セキュリティ割り込み処理部２２６は、自分のＩＤを確認する。すなわち、自分は、位置Ａ１乃至位置Ｃ３のうちのいずれの位置に取り付けられている表示装置であるかが確認される。
【０１９０】
ステップＳ５０３において、セキュリティ割り込み処理部２２６は、ステップＳ５０１とＳ５０２の処理の結果に基づいて、自分と同じ向きの表示装置の場所を確認する。
【０１９１】
ステップＳ５０４において、セキュリティ割り込み処理部２２６は、ステップＳ５０３の処理の結果に基づいて、自分と同じ向きの表示装置のうちで自分が最も左側の位置にあるか否かを判定し、自分が最も左側にあると判定された場合、処理は、ステップＳ５０５に進む。
【０１９２】
ステップＳ５０５において、セキュリティ割り込み処理部２２６は、ステップＳ５０３の処理の結果に基づいて、自分と同じ向きの表示装置のうちで自分が最も上の位置にあるか否かを判定し、自分が最も上にあると判定された場合、処理は、ステップＳ５０６に進む。
【０１９３】
ステップＳ５０６において、セキュリティ割り込み処理部２２６は、それまで表示されていた画像に代えて、例えば、インターフォンに接続されるモニタの画像などを割り込み表示する。
【０１９４】
一方、ステップＳ５０４において、自分と同じ向きの表示装置のうちで自分が最も左側の位置ではないと判定された場合、または、ステップＳ５０５において、自分と同じ向きの表示装置のうちで自分が最も上の位置ではないと判定された場合、ステップＳ５０６の処理は、スキップされ、それまで表示されていた画像が表示され続けることになる。
【０１９５】
このようにして割り込み処理が実行される。このようにすることで、スケーラブルテレビシステム１００の構成が変化しても、また、スケーラブルテレビシステム１００を表側から見ているユーザにも、裏側から見ているユーザにも、緊急に知らせるべき情報を即座に提示することができる。
【０１９６】
以上においては、スケーラブルテレビシステム１００が、３台のユニットにより構成される例について説明したが、４台以上のユニットまたは２台以下のユニットにより構成されるようにしてもよい。
【０１９７】
また、以上においては、１台のユニットに３台の表示装置が取り付け可能な場合の例について説明したが、１台のユニットに取り付け可能な表示装置の台数は３台に限られるものではない。
【０１９８】
さらに、以上においては、縦方向に長い１台のユニットに複数台の表示装置が縦方向に一列に取り付けられ、縦方向に長いユニットが横方向に並べられて接続される場合の例について説明したが、横方向に長い１台のユニットに、複数台の表示装置が横方向に一列に取り付けられるようにし、横方向に長いユニットが縦方向に並べられて接続されるようにすることも可能である。
【０１９９】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図４０に示されるような汎用のパーソナルコンピュータ５００などに、ネットワークや記録媒体からインストールされる。
【０２００】
図４０において、CPU（Central Processing Unit）５０１は、ROM（Read Only Memory
）５０２に記憶されているプログラム、または記憶部５０８からRAM（Random Access Memory）５０３にロードされたプログラムに従って各種の処理を実行する。RAM５０３にはまた、CPU５０１が各種の処理を実行する上において必要なデータなども適宜記憶される。
【０２０１】
CPU５０１、ROM５０２、およびRAM５０３は、バス５０４を介して相互に接続されている。このバス５０４にはまた、入出力インタフェース５０５も接続されている。
【０２０２】
入出力インタフェース５０５には、キーボード、マウスなどよりなる入力部５０６、CRT(Cathode Ray Tube)、LCD(Liquid Crystal display)などよりなるディスプレイ、並びにスピーカなどよりなる出力部５０７、ハードディスクなどより構成される記憶部５０８、モデム、LANカードなどのネットワークインタフェースカードなどより構成される通信部５０９が接続されている。通信部５０９は、インターネットを含むネットワークを介しての通信処理を行う。
【０２０３】
入出力インタフェース５０５にはまた、必要に応じてドライブ５１０が接続され、磁気ディスク、光ディスク、光磁気ディスク、或いは半導体メモリなどのリムーバブルメディア５１１が適宜装着され、それらから読み出されたコンピュータプログラムが、必要に応じて記憶部５０８にインストールされる。
【０２０４】
上述した一連の処理をソフトウェアにより実行させる場合には、そのソフトウェアを構成するプログラムが、インターネットなどのネットワークや、リムーバブルメディア５１１などからなる記録媒体からインストールされる。
【０２０５】
なお、この記録媒体は、図４０に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア５１１により構成されるものだけでなく、装置本体に予め組み込まれた状態でユーザに配信される、プログラムが記録されているROM５０２や、記憶部５０８に含まれるハードディスクなどで構成されるものも含む。
【０２０６】
本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０２０７】
【図１】本発明を適用したスケーラブルテレビシステムの一実施形態に係る構成例を示す図である。
【図２】図１のユニットの構成例を示す図である。
【図３】図１のユニットを横方向からみた側面図である。
【図４】ユニットから表示装置が取り外された状態の例を示す図である。
【図５】スケーラブルテレビシステムのユニットが全て表向きの状態の例を示すである。
【図６】スケーラブルテレビシステムのユニットが一部裏向きの状態の例を示すである。
【図７】スケーラブルテレビシステムのユニットが一部裏向きの状態の例を示すである。
【図８】スケーラブルテレビシステムの表示装置の位置を説明する図である。
【図９】表示装置の内部構成例を示すブロック図である。
【図１０】画像出力処理の例を説明するフローチャートである。
【図１１】構成認識処理の例を説明するフローチャートである。
【図１２】全体構成テーブルの例を示す図である。
【図１３】ズーム処理により表示される画像の例を示す図である。
【図１４】ズーム処理により表示される画像の別の例を示す図である。
【図１５】ズーム処理により表示される画像のさらに例を示す図である。
【図１６】ズーム処理の例を説明するフローチャートである。
【図１７】表示位置対応処理の例を説明するフローチャートである。
【図１８】表示位置対応処理の詳細を説明する図である。
【図１９】表示位置対応処理の詳細を説明する図である。
【図２０】表示位置対応処理の詳細を説明する図である。
【図２１】表示位置対応処理の詳細を説明する図である。
【図２２】ストロボ処理により表示される画像の例を示す図である。
【図２３】ストロボ処理により表示される画像の例を示す図である。
【図２４】ストロボ処理により表示される画像の例を示す図である。
【図２５】ストロボ処理により表示される画像の例を示す図である。
【図２６】ストロボ処理により表示される画像の例を示す図である。
【図２７】情報抽出処理により表示される画像の例を示す図である。
【図２８】情報抽出処理により表示される画像の別の例を示す図である。
【図２９】メモ処理により表示される画像の例を示す図である。
【図３０】メモ処理により表示される画像の別の例を示す図である。
【図３１】時間別個別表示処理の例を説明するフローチャートである。
【図３２】表示順序演算処理の例を説明するフローチャートである。
【図３３】マルチビュー処理により表示される画像の例を示す図である。
【図３４】マルチビュー処理により表示される画像の別の例を示す図である。
【図３５】マルチビュー処理部の詳細な構成例を示すブロック図である。
【図３６】マルチビュー処理を説明するフローチャートである。
【図３７】割り込み処理により表示される画像の例を示す図である。
【図３８】割り込み処理により表示される画像の別の例を示す図である。
【図３９】割り込み処理の例を説明するフローチャートである。
【図４０】パーソナルコンピュータの構成例を示すブロック図である。
【符号の説明】
【０２０８】
１００  スケーラブルテレビシステム，  １０１−１乃至１０１−３  ユニット，  １２１Ａ乃至１２３Ｃ  表示装置，  ２０１  制御情報通信部２０１，  ２０２  中央処理部，  ２０３  テーブル記憶部，  ２０４  入力部，  ２０５  アプリケーション処理部，  ２０６  出力部，  ２２１  ズーム処理部，  ２２２  ストロボ処理部，  ２２３  情報抽出処理部，  ２２４  メモ処理部，  ２２５  マルチビュー処理部，  ２２６  セキュリティ割り込み処理部，  ４０２  入力選択部
【図１】
2006308950.tif 000003
【図２】
2006308950.tif 000004
【図３】
2006308950.tif 000005
【図４】
2006308950.tif 000006
【図５】
2006308950.tif 000007
【図６】
2006308950.tif 000008
【図７】
2006308950.tif 000009
【図８】
2006308950.tif 000010
【図９】
2006308950.tif 000011
【図１０】
2006308950.tif 000012
【図１１】
2006308950.tif 000013
【図１２】
2006308950.tif 000014
【図１３】
2006308950.tif 000015
【図１４】
2006308950.tif 000016
【図１５】
2006308950.tif 000017
【図１６】
2006308950.tif 000018
【図１７】
2006308950.tif 000019
【図１８】
2006308950.tif 000020
【図１９】
2006308950.tif 000021
【図２０】
2006308950.tif 000022
【図２１】
2006308950.tif 000023
【図２２】
2006308950.tif 000024
【図２３】
2006308950.tif 000025
【図２４】
2006308950.tif 000026
【図２５】
2006308950.tif 000027
【図２６】
2006308950.tif 000028
【図２７】
2006308950.tif 000029
【図２８】
2006308950.tif 000030
【図２９】
2006308950.tif 000031
【図３０】
2006308950.tif 000032
【図３１】
2006308950.tif 000033
【図３２】
2006308950.tif 000034
【図３３】
2006308950.tif 000035
【図３４】
2006308950.tif 000036
【図３５】
2006308950.tif 000037
【図３６】
2006308950.tif 000038
【図３７】
2006308950.tif 000039
【図３８】
2006308950.tif 000040
【図３９】
2006308950.tif 000041
【図４０】
2006308950.tif 000042